(57)【要約】【課題】メモリの個人別に特定の日時における着信や発信の拒否を行う発着信拒否方法、同プログラムおよび携帯端末装置を提供する。【解決手段】ＲＯＭ２５にある電話帳検索プログラム２７は、電話、メールの発信時には発信先の電話番号、メールアドレス、着信時には発信元の電話番号、メールアドレスがＲＡＭ２８の電話番号格納領域２９、メールアドレス格納領域３０に格納されているデータに一致しているかを検索し、一致した場合は時計情報プログラム３３により現在の時計情報を取得し、スケジュール情報格納領域３１の条件との比較を行い、条件を満たした時は発信または着信を拒否する。【選択図】        図１
2004180028.tif 000002
【特許請求の範囲】
【請求項１】
電話およびメールの着信を行う通信ステップと、
前記通信ステップにより着信した情報中の発信者情報の有無を確認する発信者情報確認ステップと、
前記発信者情報がある場合に、前記発信者情報のメモリ登録の有無を検索する検索ステップと、
前記メモリ登録がある場合に、前記発信者のスケジュール情報の設定を確認するスケジュール情報確認ステップと、
前記スケジュール情報がある場合に、現在の時計情報を取得する時計情報取得ステップと、
前記現在の時計情報と前記スケジュール情報とを比較する比較ステップと、
前記スケジュール情報に設定された条件によって着信の可否を判断し、前記着信を制御する制御ステップと、
を有することを特徴とする発着信拒否方法。
【請求項２】
電話およびメールの発信を行う通信ステップと、
前記通信ステップにより発信操作を行う際、発信先のメモリ登録の有無を検索する検索ステップと、
前記メモリ登録がある場合に、前記発信先のスケジュール情報の設定を確認するスケジュール情報確認ステップと、
前記スケジュール情報がある場合に、現在の時計情報を取得する時計情報取得ステップと、
前記現在の時計情報と前記スケジュール情報とを比較する比較ステップと、
前記スケジュール情報に設定された条件によって発信の可否を判断し、前記発信を制御する制御ステップと、
を有することを特徴とする発着信拒否方法。
【請求項３】
前記スケジュール情報は、発着信を拒否するために用いる情報であることを特徴とする請求項１または２記載の発着信拒否方法。
【請求項４】
前記スケジュール情報に設定する条件は、日付、時間、曜日のうち少なくとも１つを含むことを特徴とする請求項１または２記載の発着信拒否方法。
【請求項５】
前記スケジュール情報は、メモリ内の個人データ別に前記条件を設定することを特徴とする請求項４記載の発着信拒否方法。
【請求項６】
前記スケジュール情報は、メモリ内のグループデータ別に前記条件を設定することを特徴とする請求項４記載の発着信拒否方法。
【請求項７】
前記スケジュール情報確認ステップにおいて、前記スケジュール情報が設定されていない場合は、そのまま着信処理を継続することを特徴とする請求項１記載の発着信拒否方法。
【請求項８】
前記スケジュール情報確認ステップにおいて、前記スケジュール情報が設定されていない場合は、そのまま発信処理を継続することを特徴とする請求項２記載の発着信拒否方法。
【請求項９】
前記制御ステップは、前記判断において前記スケジュール情報の設定条件が一致しない場合は発着信を継続し、前記条件が一致する場合は発着信を拒否する制御を行うことを特徴とする請求項１または２記載の発着信拒否方法。
【請求項１０】
前記発信者情報は、基地局からの発番号通知中の発信者番号であることを特徴とする請求項１または２に記載の発着信拒否方法。
【請求項１１】
前記発信者情報確認ステップにおいて、前記発信者情報がない場合は、そのまま着信処理を継続することを特徴とする請求項１記載の発着信拒否方法。
【請求項１２】
電話およびメールの着信を行う通信処理と、
前記通信処理により着信した情報中の発信者情報の有無を確認する発信者情報確認ステップと、
前記発信者情報がある場合に、前記発信者情報のメモリ登録の有無を検索する検索処理と、
前記メモリ登録がある場合に、前記発信者のスケジュール情報の設定を確認するスケジュール情報確認処理と、
前記スケジュール情報がある場合に、現在の時計情報を取得する時計情報取得処理と、
前記現在の時計情報と前記スケジュール情報とを比較する比較処理と、
前記スケジュール情報に設定された条件によって着信の可否を判断し、前記着信を制御する制御処理と、
をコンピュータに実行させるためのプログラム。
【請求項１３】
電話およびメールの発信を行う通信処理と、
前記通信処理により発信操作を行う際、発信先のメモリ登録の有無を検索する検索処理と、
前記メモリ登録がある場合に、前記発信先のスケジュール情報の設定を確認するスケジュール情報確認処理と、
前記スケジュール情報がある場合に、現在の時計情報を取得する時計情報取得処理と、
前記現在の時計情報と前記スケジュール情報とを比較する比較処理と、
前記スケジュール情報に設定された条件によって発信の可否を判断し、前記発信を制御する制御処理と、
をコンピュータに実行させるためのプログラム。
【請求項１４】
ユーザが入力操作を行う操作手段と、
複数のプログラムを保持する記憶手段と、
複数の個人データを格納する格納手段と、
前記記憶手段から前記複数のプログラムを読み出し、前記複数のプログラムに従って、前記ユーザが前記操作手段により設定した、前記格納手段に格納されるスケジュール情報を用いて特定の日時における音声データおよびメールデータの発着信拒否を行う制御手段と、
を有することを特徴とする携帯端末装置。
【請求項１５】
前記記憶手段は、
前記個人データおよび前記スケジュール情報を登録、編集、および削除する電話帳プログラムと、
現在の時計情報を取得する時計情報プログラムと、
前記スケジュール情報と前記現在の時計情報とを比較し、前記スケジュール情報と前記現在の時計情報とが一致した時に、発着信を拒否する電話帳検索プログラムと、
を有することを特徴とする請求項１４記載の携帯端末装置。
【請求項１６】
前記スケジュール情報の設定は、ユーザが前記格納手段内の前記個人データごとに、任意の日付、時間、および曜日のうちの少なくとも１つを拒否条件として更新・登録することを特徴とする請求項１４記載の携帯端末装置。
【請求項１７】
前記個人データの内容は、名前、名前の読み仮名、グループ、電話番号、メールアドレス、メモ、および画像を含むことを特徴とする請求項１４から１６に記載の携帯端末装置。
【発明の詳細な説明】
【０００１】
【発明の属する技術分野】
本発明は携帯電話等の発着信拒否方法、同プログラムおよび携帯端末装置に関する。
【０００２】
【従来の技術】
従来の携帯電話機等には、受信側のユーザが、特定の個人やグループ単位の人達から受信したくない場合において、その特定の個人やグループ単位からの着信を拒否する設定を予め行うことによって、受信しても呼出を行わない着信拒否機能や、同様に発信する場合においても、特定の個人や電話帳からの発信禁止、ダイヤル発信禁止等の機能を持つものがある。
【０００３】
上述のような従来例として、フレキシブルな通話可能時間の設定を行うことができ、通話可能時間が満了した後でも携帯電話事業者を介することなく、通話可能時間を設定することができる「携帯電話端末及びそれに用いる通話可能時間制限方法」がある（例えば、特許文献１参照）。また、コミュニケーション仲介者が、管理する発信側の通信都合情報と受信側の通信都合情報とを比較して、発信側および受信側の通信都合情報に一致した条件があれば、その一致した条件で通信を許可し、一致しない場合は受信側に受信するか否かを問い合わせる調停を行う「通信仲介システム」がある（例えば、特許文献２参照）。
【０００４】
【特許文献１】
特開２００２−１４２０１２号公報
【特許文献２】
特開２００２−２９０５６３号公報
【０００５】
【発明が解決しようとする課題】
しかしながら、上述の従来の携帯電話では、例えば、仕事関係の人からの電話は土日には受けたくないとか、またはＡさんからの電話は２２時から７時の間は受けたくない等というように、個人別に時間や曜日を指定して、着信を拒否したり、発信を禁止したりすることができないという欠点があった。
【０００６】
また、従来の携帯電話の構成は図１に示すものと同様であるが、電話帳に設定できるスケジュール情報のフィールドは具備されていなかった。
【０００７】
また、上述の従来例である特許文献１記載の「携帯電話端末及びそれに用いる通話可能時間制限方法」は、通話時間を制限するための設定を目的とするものであり、発着信の制限設定をすることはできない。また、特許文献２記載の「通信仲介システム」は、発着信制限のための発信側および受信側の通信都合情報を管理し、通信調停サービスを行う仲介者を必要とするものであり、携帯端末ユーザ自身が自由に発着信を制限するための装置への設定ができるものではない。
【０００８】
よって、本発明は上記事情に鑑みてなされたものであり、電話帳にスケジュール情報のフィールドを具備し、この情報と現在の時計情報を比較することによって、電話帳の個人別に特定の日時における着信や発信の拒否を行う発着信拒否方法、同プログラムおよび携帯端末装置を提供することを目的とする。
【０００９】
【課題を解決するための手段】
かかる目的を達成するために、請求項１記載の発着信拒否方法は、電話およびメールの着信を行う通信ステップと、前記通信ステップにより着信した情報中の発信者情報の有無を確認する発信者情報確認ステップと、前記発信者情報がある場合に、前記発信者情報のメモリ登録の有無を検索する検索ステップと、前記メモリ登録がある場合に、前記発信者のスケジュール情報の設定を確認するスケジュール情報確認ステップと、前記スケジュール情報がある場合に、現在の時計情報を取得する時計情報取得ステップと、前記現在の時計情報と前記スケジュール情報とを比較する比較ステップと、前記スケジュール情報に設定された条件によって着信の可否を判断し、前記着信を制御する制御ステップと、を有することを特徴としている。
【００１０】
請求項２記載の発着信拒否方法は、電話およびメールの発信を行う通信ステップと、前記通信ステップにより発信操作を行う際、発信先のメモリ登録の有無を検索する検索ステップと、前記メモリ登録がある場合に、前記発信先のスケジュール情報の設定を確認するスケジュール情報確認ステップと、前記スケジュール情報がある場合に、現在の時計情報を取得する時計情報取得ステップと、前記現在の時計情報と前記スケジュール情報とを比較する比較ステップと、前記スケジュール情報に設定された条件によって発信の可否を判断し、前記発信を制御する制御ステップと、を有することを特徴としている。
【００１１】
請求項３記載の発着信拒否方法は、請求項１または２記載の発着信拒否方法において、スケジュール情報は、発着信を拒否するために用いる情報であることを特徴としている。
【００１２】
請求項４記載の発着信拒否方法は、請求項１または２記載の発着信拒否方法において、スケジュール情報に設定する条件は、日付、時間、曜日のうち少なくとも１つを含むことを特徴としている。
【００１３】
請求項５記載の発着信拒否方法は、請求項４記載の発着信拒否方法において、スケジュール情報は、メモリ内の個人データ別に条件を設定することを特徴としている。
【００１４】
請求項６記載の発着信拒否方法は、請求項４記載の発着信拒否方法において、スケジュール情報は、メモリ内のグループデータ別に条件を設定することを特徴としている。
【００１５】
請求項７記載の発着信拒否方法は、請求項１記載の発着信拒否方法において、スケジュール情報確認ステップでスケジュール情報が設定されていない場合は、そのまま着信処理を継続することを特徴としている。
【００１６】
請求項８記載の発着信拒否方法は、請求項２記載の発着信拒否方法において、スケジュール情報確認ステップでスケジュール情報が設定されていない場合は、そのまま発信処理を継続することを特徴としている。
【００１７】
請求項９記載の発着信拒否方法は、請求項１または２記載の発着信拒否方法において、制御ステップは、判断においてスケジュール情報の設定条件が一致しない場合は発着信を継続し、前記設定条件が一致する場合は発着信を拒否する制御を行うことを特徴としている。
【００１８】
請求項１０記載の発着信拒否方法は、請求項１または２記載の発着信拒否方法において、発信者情報は、基地局からの発番号通知中の発信者番号であることを特徴としている。
【００１９】
請求項１１記載の発着信拒否方法は、請求項１記載の発着信拒否方法において、発信者情報確認ステップで発信者情報がない場合は、そのまま着信処理を継続することを特徴としている。
【００２０】
請求項１２記載のプログラムは、電話およびメールの着信を行う通信処理と、前記通信処理により着信した情報中の発信者情報の有無を確認する発信者情報確認処理と、前記発信者情報がある場合に、前記発信者情報のメモリ登録の有無を検索する検索処理と、前記メモリ登録がある場合に、前記発信者のスケジュール情報の設定を確認するスケジュール情報確認処理と、前記スケジュール情報がある場合に、現在の時計情報を取得する時計情報取得処理と、前記現在の時計情報と前記スケジュール情報とを比較する比較処理と、前記スケジュール情報に設定された条件によって着信の可否を判断し、前記着信を制御する制御処理と、をコンピュータに実行させることを特徴としている。
【００２１】
請求項１３記載のプログラムは、電話およびメールの発信を行う通信処理と、前記通信処理により発信操作を行う際、発信先のメモリ登録の有無を検索する検索処理と、前記メモリ登録がある場合に、前記発信先のスケジュール情報の設定を確認するスケジュール情報確認処理と、前記スケジュール情報がある場合に、現在の時計情報を取得する時計情報取得処理と、前記現在の時計情報と前記スケジュール情報とを比較する比較処理と、前記スケジュール情報に設定された条件によって発信の可否を判断し、前記発信を制御する制御処理と、をコンピュータに実行させることを特徴としている。
【００２２】
請求項１４記載の携帯端末装置は、ユーザが入力操作を行う操作手段と、複数のプログラムを保持する記憶手段と、複数の個人データを格納する格納手段と、前記記憶手段から前記複数のプログラムを読み出し、前記複数のプログラムに従って、前記ユーザが前記操作手段により設定した、前記格納手段に格納されるスケジュール情報を用いて特定の日時における音声データおよびメールデータの発着信拒否を行う制御手段と、を有することを特徴としている。
【００２３】
請求項１５記載の携帯端末装置は、請求項１４記載の携帯端末装置において、記憶手段は、個人データおよびスケジュール情報を登録、編集、および削除する電話帳プログラムと、現在の時計情報を取得する時計情報プログラムと、前記スケジュール情報と前記現在の時計情報とを比較し、前記スケジュール情報と前記現在の時計情報とが一致した時に、発着信を拒否する電話帳検索プログラムと、を有することを特徴としている。
【００２４】
請求項１６記載の携帯端末装置は、請求項１４記載の携帯端末装置において、スケジュール情報の設定は、ユーザが格納手段内の前記個人データごとに、任意の日付、時間、および曜日のうちの少なくとも１つを拒否条件として更新・登録することを特徴としている。
【００２５】
請求項１７記載の携帯端末装置は、請求項１４から１６に記載の携帯端末装置において、個人データの内容は、名前、名前の読み仮名、グループ、電話番号、メールアドレス、メモ、および画像を含むことを特徴としている。
【００２６】
【発明の実施の形態】
以下、本発明の実施の形態である移動機（携帯端末装置）について、図面を参照にしながら詳細に説明する。
【００２７】
図２は本発明の原理的構成図である。詳しくは、図２は携帯電話等の移動機の構成を表している。１０は無線アンテナ、１１は無線部、１２は制御部、１３は表示部、１４は操作部、１５はＲＯＭ部、１６はＲＡＭ部、１７は通話部を表す。
【００２８】
図２に示すように、無線アンテナ１０を通して無線部１１によって受信されたデータは制御部１２によりデータの種類によって分類され、ＲＯＭ１５あるいはＲＡＭ１６に格納されると同時に、表示部１３にその内容が表示される。そして受信したデータが音声データであれば、通話部１７により通話ができる。また、操作部１４はキーパッド等があり、０〜９までの数字を入力可能とし、また表示部１３の表示内容を操作することができるものとする。通話部１７はレシーバとマイクで構成され、受話と送話を行う。
【００２９】
一方、操作部１４により入力された電話番号あるいは、ＲＡＭ１６に格納された電話帳にある電話番号で、制御部１２から無線部１１を通じて音声データとして送信処理が行われ、通話部１７により音声通話が可能となる。また、ＲＡＭ１６に格納されたメールは制御部１２から無線部１１を通じてメールデータとして送信処理が行われる。
【００３０】
以上のように、本発明の実施形態の構成によれば、ＲＯＭ１５に格納されたプログラムによりＲＡＭ１６に格納された電話帳にスケジュール情報を登録する手段と、スケジュールデータが登録された電話帳を使用し、発着信時に拒否を行う条件として利用する手段を実現できる。
【００３１】
次に、図２に示した本発明の実施の形態である移動機の各構成部について、図１を参照にしながら説明する。
【００３２】
図２の説明と同様に、無線アンテナ２０を通して無線部２１、制御部２２により音声データやメールデータの送受信が行われる。音声は通話部３２で送話・受話が可能で、表示部２３は通話の状態を表示する。また、音声発着信時にはＲＯＭ２５にある電話帳検索プログラム２８により、ＲＡＭ２８の電話番号格納領域２９にある電話番号、メールアドレス格納領域３０にあるメールアドレス、スケジュール情報格納領域３１のスケジュール情報を使用する。
【００３３】
ＲＯＭ２５の電話帳プログラム２６は、ＲＡＭ２８の電話番号格納領域２９の電話番号、メールアドレス格納領域３０のメールアドレス、スケジュール情報格納領域３１のスケジュール情報の登録、呼出、削除ができ、表示部２３にデータの表示を行い、操作部２４によりデータの入力を行う。ＲＯＭ２５の時計情報プログラム３３は現在の年月日、曜日を取得するものである。
【００３４】
次に、図２の本発明の原理図に基づく動作を説明し、続いて、図１の本発明の実施形態の動作を図３、および図４、図５、図６に示すフロー図を用いて説明する。
【００３５】
図２において、ＲＡＭ１６に格納された電話番号を操作部１４から呼出操作を行い、電話番号を表示部１３に表示する。操作部１３から発信の操作を行うと電話番号は制御部１２に渡され、無線部１１と無線アンテナ１０を通じて、発信され、通話が確立すると通話部１７で送話受話が可能になる。
【００３６】
また、ＲＡＭ１６に格納されたメールアドレスを操作部１４から呼出操作を行い、メールアドレスを表示部１３に表示する。操作部１４からメール本文の作成を行った後、操作部１４から送信の操作を行うと、メールアドレスとメール本文は制御部１２に渡され、無線部１１と無線アンテナ１０を通じて、送信される。
【００３７】
一方、メール受信時は、無線アンテナ１０と無線部１１を通して制御部１２からＲＡＭ１６に格納されると同時に表示部１３に表示する。
【００３８】
図１において、ＲＯＭ２５の中にある電話帳プログラム２６はＲＡＭ２８の電話番号格納領域２９、メールアドレス格納領域３０、スケジュール情報格納領域３１に電話番号やメールアドレス、スケジュール情報を登録、編集、削除する機能を具備する。時計情報プログラム３３は、現在の日時、曜日を取得する機能を具備する。
【００３９】
ＲＯＭ２５の中にある電話帳検索プログラム２７は、電話の発信、メールの発信時においては、それぞれ発信先の電話番号、メールアドレスがＲＡＭ２８の電話番号格納領域２９、メールアドレス格納領域３０に格納されているデータに一致しているかを検索する機能を具備する。また、一致した場合には時計情報プログラム３３により現在の日時、曜日を取得し、スケジュール情報格納領域３１の条件との比較を行い、条件を満たした時は発信を拒否する機能を具備する。
【００４０】
一方、電話の着信、メールの着信時においては、それぞれ発信元の電話番号、メールアドレスがＲＡＭ２８の電話番号格納領域２９、メールアドレス格納領域３０に格納されているデータに一致しているかを検索する機能を具備する。また、一致した場合には時計情報プログラム３３により現在の日時、曜日を取得し、スケジュール情報格納領域３１の条件との比較を行い、条件を満たした時は着信を拒否する機能を具備する。
【００４１】
次に、図３を参照にして本発明の実施形態である移動機で使用する電話帳機能の構成を説明する。
【００４２】
図３の４０は電話帳の個人データであり、この個人データは、名前フィールド４１、ヨミカナフィールド４２、グループフィールド４３、電話番号フィールド４４、メールアドレスフィールド４５、メモフィールド４６、画像フィールド４７およびスケジュール情報フィールド４８から構成される。
【００４３】
名前フィールド４１、ヨミカナフィールド４２には、それぞれ個人の名前、対応するヨミカナを格納する。グループフィールド４３は個人の所属するグループを設定する。電話番号フィールド４４には、個人の電話番号を、メールアドレスフィールド４５には、個人のメールアドレスをそれぞれ格納する。メモフィールド４６、画像フィールド４７には、関連するメモや顔写真のデータ等を格納することができる。およびスケジュール情報フィールド４８には、本発明で使用する拒否設定の時間、曜日、日にちを格納し、これら情報を用いて個人別に任意の設定により着信や発信の拒否を実現する。
【００４４】
次に、本発明の第１の実施形態について、図４のフロー図を参照にして説明する。この実施形態では電話帳個人データにスケジュール情報を設定する方法について説明する。
【００４５】
（第１の実施形態）
図４に示すように、まず、電話帳個人データを選択し、各項目の設定を行う（４０１）。そして、スケジュール情報を設定するかの確認を行い（４０２）、設定する場合には、スケジュールを設定するためのプログラムを起動する（４０３）。スケジュールプログラムは、拒否を行うための条件を設定するために、対象の日付を入力するか（４０４）、または対象の時間を入力するか（４０６）、繰り返し（曜日）を設定するか（４０８）を確認し、それぞれ設定するとした場合には、設定した日付（４０５）、設定した時間（４０７）、設定した曜日（４０９）をスケジュール情報フィールド４８に格納する。すべての項目を設定し終えた時点で電話帳個人データを更新して登録する（４１０）。日付（４０５）、時間（４０７）、曜日（４０９）はそれぞれ個別に設定が可能であり、これらを組み合わせた条件で拒否動作を行う。
【００４６】
次に、第２の実施の形態について、図５のフロー図を参照にして説明する。この実施形態では、図４で設定した上記スケジュール情報を使用して着信を拒否する方法について説明する。
【００４７】
（第２の実施形態）
まず、電話着信あるいはメール受信を行う（５０１）。このときの着信や受信した情報の中には、発信者の情報が含まれていることがあり、この情報の有無を確認する（５０２）。発信がある場合には、電話帳の検索を行う（５０３）。検索の結果、発信者の情報が電話帳に登録されていた時には、スケジュール情報の設定を確認する（５０４）。スケジュール情報が設定されていなければ、処理を中止し、そのまま着信または受信を継続する。スケジュール情報が設定されていた場合は、時計情報プログラム３３により現在の時計情報を取得する（５０５）。取得した時計情報を元にスケジュール情報に設定されている日付、時間、曜日を比較し（５０６）、条件が一致しない場合は、着信または受信が可能と判断して着信または受信を継続する。条件が一致した場合には、着信または受信ができないと判断して着信または受信を拒否する（５０７）。
【００４８】
次に、第３の実施形態について、図６のフロー図を参照にして説明する。この実施形態では、図４で設定した上記スケジュール情報を使用して発信を拒否する方法について説明する。
【００４９】
（第３の実施形態）
電話発信操作あるいはメール送信操作を行う（６０１）。このときの発信先が電話帳に登録されているかを電話帳検索プログラム２７により検索する（６０２）。登録がない場合はそのまま発信または送信を継続する。登録があった場合は、スケジュール情報の設定を確認する（６０３）。設定されていなければ、そのまま発信または送信を継続する。スケジュール情報が設定されていた場合は、時計情報プログラム３３により、現在の時計情報を取得する（６０４）。取得した時計情報を元にスケジュール情報に設定されている日付、時間、曜日を比較し（６０５）、条件が一致しない場合は、発信または送信が可能と判断して発信または送信を継続する。条件が一致した場合には、発信または送信ができないと判断して、発信または送信を拒否する（６０６）。
【００５０】
以上の実施形態の説明から明らかなように、従来においては電話帳ごとに着信を拒否することや発信を禁止することはできなかったが、電話帳の設定項目に日時や曜日等のスケジュール情報を個別に設定することによって、ある時間に電話帳に登録されている人からの着信があった場合に、その日にち、時間、曜日と電話帳に登録したスケジュール情報を比較し、条件を満たしたときには着信を拒否することと、着信を拒否する条件をより細かく設定することが可能になる。
【００５１】
また、発信においても電話帳にあるスケジュール情報を使用して、条件を満たしたときには発信を拒否することが可能になる。
【００５２】
【発明の効果】
請求項１記載の発着信拒否方法は、電話およびメールの着信を行う通信ステップと、前記通信ステップにより着信した情報中の発信者情報の有無を確認する発信者情報確認ステップと、前記発信者情報がある場合に、前記発信者情報のメモリ登録の有無を検索する検索ステップと、前記メモリ登録がある場合に、前記発信者のスケジュール情報の設定を確認するスケジュール情報確認ステップと、前記スケジュール情報がある場合に、現在の時計情報を取得する時計情報取得ステップと、前記現在の時計情報と前記スケジュール情報とを比較する比較ステップと、前記スケジュール情報に設定された条件によって着信の可否を判断し、前記着信を制御する制御ステップと、を有することを特徴としているので、個人別に特定の日時における着信の拒否を行うことができる。
【００５３】
請求項２記載の発着信拒否方法は、電話およびメールの発信を行う通信ステップと、前記通信ステップにより発信操作を行う際、発信先のメモリ登録の有無を検索する検索ステップと、前記メモリ登録がある場合に、前記発信先のスケジュール情報の設定を確認するスケジュール情報確認ステップと、前記スケジュール情報がある場合に、現在の時計情報を取得する時計情報取得ステップと、前記現在の時計情報と前記スケジュール情報とを比較する比較ステップと、前記スケジュール情報に設定された条件によって発信の可否を判断し、前記発信を制御する制御ステップと、を有することを特徴としているので、個人別に特定の日時における発信の拒否を行うことができる。
【００５４】
請求項３記載の発着信拒否方法は、請求項１または２記載の発着信拒否方法において、スケジュール情報は、発着信を拒否するために用いる情報であることを特徴としているので、個人別に特定の日時における発着信の拒否を行うことができる。
【００５５】
請求項４記載の発着信拒否方法は、請求項１または２記載の発着信拒否方法において、スケジュール情報に設定する条件は、日付、時間、曜日のうち少なくとも１つを含むことを特徴としているので、発着信の拒否条件をより細かく設定することができる。
【００５６】
請求項５記載の発着信拒否方法は、請求項４記載の発着信拒否方法において、スケジュール情報は、メモリ内の個人データ別に前記条件を設定することを特徴としているので、発着信の拒否条件をより細かく設定することができる。
【００５７】
請求項６記載の発着信拒否方法は、請求項４記載の発着信拒否方法において、スケジュール情報は、メモリ内のグループデータ別に前記条件を設定することを特徴としているので、発着信の拒否条件をより細かく設定することができる。
【００５８】
請求項７記載の発着信拒否方法は、請求項１記載の発着信拒否方法において、スケジュール情報確認ステップで前記スケジュール情報が設定されていない場合は、そのまま着信処理を継続することを特徴としているので、スケジュール情報が設定なくても着信が可能となり、通信の利便性が図れる。
【００５９】
請求項８記載の発着信拒否方法は、請求項２記載の発着信拒否方法において、スケジュール情報確認ステップで前記スケジュール情報が設定されていない場合は、そのまま発信処理を継続することを特徴としているので、スケジュール情報が設定なくても着信が可能となり、通信の利便性が図れる。
【００６０】
請求項９記載の発着信拒否方法は、請求項１または２記載の発着信拒否方法において、制御ステップは、スケジュール情報の設定条件が一致しない場合は発着信を継続し、設定条件が一致する場合は発着信を拒否する制御を行うことを特徴としているので、スケジュール情報が一致しなくても発着信が可能となり、また、一致する場合は個人別に特定の日時における発着信の拒否を行うことができ、通信の利便性が図れる。
【００６１】
請求項１０記載の発着信拒否方法は、請求項１または２記載の発着信拒否方法において、発信者情報は、基地局からの発番号通知中の発信者番号であることを特徴としているので、発信者を特定できる。
【００６２】
請求項１１記載の発着信拒否方法は、請求項１記載の発着信拒否方法において、発信者情報確認ステップで前記発信者情報がない場合は、そのまま着信処理を継続することを特徴としているので、通信の利便性が図れる。
【００６３】
請求項１２記載のプログラムは、電話およびメールの着信を行う通信処理と、前記通信処理により着信した情報中の発信者情報の有無を確認する発信者情報確認処理と、前記発信者情報がある場合に、前記発信者情報のメモリ登録の有無を検索する検索処理と、前記メモリ登録がある場合に、前記発信者のスケジュール情報の設定を確認するスケジュール情報確認処理と、前記スケジュール情報がある場合に、現在の時計情報を取得する時計情報取得処理と、前記現在の時計情報と前記スケジュール情報とを比較する比較処理と、前記スケジュール情報に設定された条件によって着信の可否を判断し、前記着信を制御する制御処理と、をコンピュータに実行させることを特徴としているので、個人別に特定の日時における着信の拒否を行うことができる。
【００６４】
請求項１３記載のプログラムは、電話およびメールの発信を行う通信処理と、前記通信処理により発信操作を行う際、発信先のメモリ登録の有無を検索する検索処理と、前記メモリ登録がある場合に、前記発信先のスケジュール情報の設定を確認するスケジュール情報確認処理と、前記スケジュール情報がある場合に、現在の時計情報を取得する時計情報取得処理と、前記現在の時計情報と前記スケジュール情報とを比較する比較処理と、前記スケジュール情報に設定された条件によって発信の可否を判断し、前記発信を制御する制御処理と、をコンピュータに実行させることを特徴としているので、個人別に特定の日時における発信の拒否を行うことができる。
【００６５】
請求項１４記載の携帯端末装置は、ユーザが入力操作を行う操作手段と、複数のプログラムを保持する記憶手段と、複数の個人データを格納する格納手段と、前記記憶手段から前記複数のプログラムを読み出し、前記複数のプログラムに従って、前記ユーザが前記操作手段により設定した、前記格納手段に格納されるスケジュール情報を用いて特定の日時における音声データおよびメールデータの発着信拒否を行う制御手段と、を有することを特徴としているので、個人別に特定の日時における発着信の拒否を行うことができる。
【００６６】
請求項１５記載の携帯端末装置は、請求項１４記載の携帯端末装置において、記憶手段は、個人データおよびスケジュール情報を登録、編集、および削除する電話帳プログラムと、現在の時計情報を取得する時計情報プログラムと、前記スケジュール情報と前記現在の時計情報とを比較し、前記スケジュール情報と前記現在の時計情報とが一致した時に、発着信を拒否する電話帳検索プログラムと、を有することを特徴としているので、個人別に特定の日時における発着信の拒否を行うことができる。
【００６７】
請求項１６記載の携帯端末装置は、請求項１４記載の携帯端末装置において、スケジュール情報の設定は、ユーザが前記格納手段内の前記個人データごとに、任意の日付、時間、および曜日のうちの少なくとも１つを拒否条件として更新・登録することを特徴としているので、より細かく発着信の拒否条件を設定することができる。
【００６８】
請求項１７記載の携帯端末装置は、請求項１４から１６に記載の携帯端末装置において、個人データの内容は、名前、名前の読み仮名、グループ、電話番号、メールアドレス、メモ、および画像を含むことを特徴としているので、ユーザは容易に個人データを認識できる。
【図面の簡単な説明】
【図１】本発明の実施形態である移動機のＲＯＭおよびＲＡＭの構成を示すブロック図である。
【図２】本発明の実施形態である移動機の原理的構成を示すブロック図である。
【図３】本発明の実施形態である電話帳個人データの例を示す図である。
【図４】本発明の第１の実施形態での動作を示すフローチャートである。
【図５】本発明の第２の実施形態での動作を示すフローチャートである。
【図６】本発明の第３の実施形態での動作を示すフローチャートである。
【符号の説明】
１０、２０  無線アンテナ
１１、２１  無線部
１２、２２  制御部
１３、２３  表示部
１４、２４  操作部
１５、２５  ＲＯＭ
１６、２８  ＲＡＭ
１７、３２  通話部
２６  電話帳プログラム
２７  電話帳検索プログラム
２９  電話番号格納領域
３０  メールアドレス格納領域
３１  スケジュール情報格納領域
３３  時計情報プログラム
【図１】
2004180028.tif 000003
【図２】
2004180028.tif 000004
【図３】
2004180028.tif 000005
【図４】
2004180028.tif 000006
【図５】
2004180028.tif 000007
【図６】
2004180028.tif 000008